(57)【特許請求の範囲】
【請求項１】
上枠、下枠及び左右の縦枠を有する枠体と、
前記枠体に開閉可能に設けられ、上框、下框及び左右の縦框を有する障子と、
前記枠体に設けられ、網材を有する網戸と、
前記網材を前記枠体に固定する網材固定部材と、を備え、建物の開口部に設けられる建具であって、
前記網戸は、見込方向の框内にあり、
前記枠体は、前記網材固定部材が嵌合する固定部材嵌合溝を有し、
前記網材は、前記固定部材嵌合溝よりも見込方向における屋外寄りの位置に配置されている建具。
【請求項２】
前記網材固定部材は、前記固定部材嵌合溝に対して屋外側へ向かって延出して前記網材を前記固定部材嵌合溝よりも見込方向における屋外寄りの位置に支持する支持部を有する請求項１に記載の建具。
【請求項３】
前記網材固定部材の一端部及び他端部には、前記網材を屋外側へ案内するガイド部が形成されている請求項１又は請求項２に記載の建具。
【請求項４】
前記障子の前記上框、前記下框、前記左右の縦框の屋内側の部分は樹脂により構成されている請求項１〜請求項３のいずれかに記載の建具。
【請求項５】
前記網材固定部材の外面は、前記枠体により囲まれる前記開口部の内周面を構成する請求項１〜請求項４のいずれかに記載の建具。
【発明の詳細な説明】
【技術分野】
【０００１】
本発明は、建具に関する。
【背景技術】
【０００２】
従来、建物の開口部に設けられる建具として、開閉する窓が知られている。開口部には、窓の開閉操作を行なう操作手段が設けられている（例えば、特許文献１参照）。この構成の窓に設けられる網戸は、屋内側から操作手段の操作を行なうことができるように、網戸の一部に連通口が形成されている。連通口を通して、屋内側から操作手段が操作されることにより、窓は開閉される。
【先行技術文献】
【特許文献】
【０００３】
【特許文献１】特開２００７−９４２６号公報
【発明の概要】
【発明が解決しようとする課題】
【０００４】
しかしながら、網戸の一部に連通口が形成されていると、連通口は網戸枠により囲まれて形成されているため、眺望の観点から好ましくない。また、網材の張力や網戸の施工状態によって、操作手段と網戸枠との間に隙間が発生すると、高い防虫性を発揮することが困難になる。
【０００５】
本発明は、窓を通した眺望を損うことを回避し、且つ、高い防虫性を発揮することが容易な建具を提供することを目的とする。
【課題を解決するための手段】
【０００６】
（１）上記目的を達成するため本発明は、上枠（例えば、後述の上枠１１）、下枠（例えば、後述の下枠１２）及び左右の縦枠（例えば、後述の縦枠１３，１４）を有する枠体（例えば、後述の枠体１０）と、前記枠体に開閉可能に設けられ、上框（例えば、後述の上框２１）、下框（例えば、後述の下框２２）及び左右の縦框（例えば、後述の縦框２３，２４）を有する障子（例えば、後述の障子２）と、前記枠体に設けられ、網材（例えば、後述の網材Ｓ）を有する網戸と、前記網材を前記枠体に固定する網材固定部材（例えば、後述の上側網材固定部材１１４、下側網材固定部材１２４、網材固定部材１３４、網材固定部材１４４）と、を備え、建物の開口部に設けられる建具であって、前記枠体は、前記網材固定部材が嵌合する固定部材嵌合溝（例えば、後述の溝１１２ｃ、１２２ｃ、１３２ｃ、１４２ｃ）を有し、前記網材は、前記固定部材嵌合溝よりも見込方向における屋外寄りの位置に配置されている建具を提供する。
【０００７】
（２）（１）の発明において、前記網材固定部材は、前記固定部材嵌合溝に対して屋外側へ向かって延出して前記網材を前記固定部材嵌合溝よりも見込方向における屋外寄りの位置に支持する支持部（例えば、後述の上側板状延出部１１４ｈ、下側板状延出部１２４ｈ、側部板状延出部１３６ｈ、１４６ｈ）を有することが好ましい。
【０００８】
（３）（１）〜（２）の発明において、前記網材固定部材の一端部及び他端部には、前記網材を屋外側へ案内するガイド部（例えば、後述のガイド空間１１４ｎ、１２４ｎ、切り欠き１１４ｍ、１２４ｍ）が形成されていることが好ましい。
【０００９】
（４）（１）〜（３）の発明において、前記障子の前記上框、前記下框、前記左右の縦框の屋内側の部分は樹脂により構成されていることが好ましい。
【００１０】
（５）（１）〜（４）の発明において、前記網材固定部材の外面は、前記枠体により囲まれる前記開口部の内周面を構成することが好ましい。
【発明の効果】
【００１１】
本発明によれば、窓を通した眺望を損うことを回避し、且つ、高い防虫性を発揮することが容易な建具を提供することができる。
【図面の簡単な説明】
【００１２】
【図１】本発明の一実施形態に係る横辷り出し窓を屋外側から見た姿図である。
【図２】上記実施形態に係る横辷り出し窓を屋内側から見た姿図である。
【図３】上記実施形態に係る横辷り出し窓の縦断面図である。
【図４】上記実施形態に係る横辷り出し窓の横断面図である。
【図５】上記実施形態に係る横辷り出し窓の部分断面平面図である。
【図６】上記実施形態に係る横辷り出し窓から網材保持部材を取外した様子を示す拡大縦断面図である。
【図７】上記実施形態に係る横辷り出し窓の部分延出部を示す平面図である。
【図８】上記実施形態に係る横辷り出し窓の網戸を施工している様子を示す拡大横断面図である。
【図９】上記実施形態に係る横辷り出し窓の網戸がガイド部によってガイドされている様子を示す説明図である。
【図１０】上記実施形態に係る横辷り出し窓の網戸がガイド部によってガイドされている様子を示す拡大図である。
【発明を実施するための形態】
【００１３】
以下、本発明の一実施形態について、図面を参照して詳しく説明する。
なお、本明細書において、「見付方向」とは、建物の壁に形成された開口部に納められた窓におけるガラスの面方向を意味し、「見込方向」とは、上記ガラスの厚さ方向（即ち、奥行き方向）を意味する。
【００１４】
図１は、本発明の一実施形態に係る横辷り出し窓１を屋外側から見た姿図である。図２は、本実施形態に係る横辷り出し窓１を屋内側から見た姿図である。本実施形態の横辷り出し窓１は、図示しない建物の壁に形成された開口部に納められる。また、これら図１及び図２に示されるように横辷り出し窓１は、建物の開口部に取り付けられる枠体１０と、枠体１０に開閉可能に納められた障子２と、を備える。
【００１５】
枠体１０は、上枠１１と、下枠１２と、左右の縦枠１３，１４と、により矩形に枠組みされて形成される。本実施形態の建具としての横辷り出し窓１は、横幅方向（左右方向）の寸法が大きく設定された横長の窓であり、操作者の手が届く範囲内で高所に設けられた開口部や、操作者の手が届かない高所に設けられた開口部に納められる。本実施形態では、横辷り出し窓１は、操作者の手が届く範囲内で高所に設けられた開口部に収められる。
【００１６】
図３は、本実施形態に係る横辷り出し窓１の縦断面図である。図３は、後述する操作部が設けられた左右方向の一端側（右側）を他端側（左側）から見た縦断面図である。横辷り出し窓１は、アルミ等の金属と樹脂とからなる複合型の窓であり、断熱性に優れる。即ち、枠体１０及び障子２は、それぞれ、屋外側がアルミ等の金属で形成され、屋内側が樹脂で形成される。
【００１７】
障子２は、上框２１と、下框２２と、左右の縦框２３，２４と、により矩形に框組みされて形成された框体２０と、該框体２０内に嵌め込まれたガラス２００と、を備える。
【００１８】
ガラス２００は、屋内側の板ガラス２０１と、屋外側の板ガラス２０２と、これら２枚の板ガラスで挟持されたスペーサ２０３と、を備える複層ガラスである。この複層ガラスで構成されたガラス２００は、優れた断熱性を有する。
【００１９】
上枠１１は、屋外側に設けられたアルミ等の金属からなる金属上枠１１１と、その屋内側に設けられ且つ塩化ビニル樹脂等の樹脂からなる樹脂上枠１１２と、を含んで構成される。
金属上枠１１１は、屋外側の外側金属上枠１１１ａと、屋内側の内側金属上枠１１１ｂと、を有する。また、金属上枠１１１は、これら外側金属上枠１１１ａと内側金属上枠１１１ｂとを連結する樹脂製のブリッジ材１１１ｃを有する。
【００２０】
樹脂上枠１１２は、複数の断面矩形状の空気室１１３ａを形成する格子状部１１２ａと、格子状部１１２ａの上側に突出する複数の突出部１１２ｂと、格子状部１１２ａの下側に位置して下方へ向けて開口する溝１１２ｃを形成する凹状部１１２ｄと、を有する。溝１１２ｃには、網戸の網材Ｓを枠体１０に固定する樹脂製の上側網材固定部材１１４が溝１１２ｃに係合される。
【００２１】
上側網材固定部材１１４は、空気室１１４ａと、空気室１１４ａに対して見込方向へ隣接配置された空気室１１４ｂと、空気室１１４ａに対して上下方向へ隣接配置された空気室１１４ｃとを有する。また、上側網材固定部材１１４は、フック部１１４ｄを有している。フック部１１４ｄが溝１１２ｃを形成する樹脂上枠１１２の一部に係合することにより、上側網材固定部材１１４は、樹脂上枠１１２に固定される。また、上側網材固定部材１１４において、空気室１１４ａよりも見込方向における屋外側には、網端部固定溝１１４ｆが形成されている。網端部固定溝１１４ｆには、網材Ｓの上縁部に取付して網材Ｓの上縁部に固定された樹脂製の帯板材が挿入されて固定されている。
【００２２】
上側網材固定部材１１４は、網端部固定溝１１４ｆよりも見込方向における屋外側に、上側板状延出部１１４ｈを有している。上側板状延出部１１４ｈは、見付方向における一端部から他端部に至るまで設けられており、図３に示すように、網端部固定溝１１４ｆの位置から見込方向における屋外側へ延出している。見込方向において、上側板状延出部１１４ｈの延出端は、操作部５よりも屋外側に位置している。上側板状延出部１１４ｈの延出端は、図３に示すように、網戸の網材Ｓを支持しており、網戸の網材Ｓを、固定部材嵌合溝としての溝１１２ｃよりも見込方向における屋外寄りの位置である上側板状延出部１１４ｈの延出端の位置に配置させる。
【００２３】
上側網材固定部材１１４の一端部及び他端部には、網材Ｓを屋外側へ案内するガイド部が形成されている。
より具体的には、図９に示すように、上側網材固定部材１１４の一端部及び他端部は、上側網材固定部材１１４の一端部及び他端部よりも、上側網材固定部材１１４の長手方向（図９の上方向）に延びている上側板状延出部１１４ｈの部分を有する。上側板状延出部１１４ｈの端部には、長方形状突出壁１１４ｋが形成されている。長方形状突出壁１１４ｋは、図９に示すように、長方形状の空間を形成する壁部により構成されており、上側板状延出部１１４ｈの端部から突出している。
【００２４】
なお、図９は、説明の便宜上、それぞれ板状に形成された上側板状延出部１１４ｈと下側板状延出部１２４ｈとが、同一平面上に配置されたような位置関係とされた状態を図示している。実際に網材Ｓが施工される際には、上側板状延出部１１４ｈと下側板状延出部１２４ｈとが、互いに対向して平行の位置関係をなすように配置され、図１０に示すように、上側板状延出部１１４ｈの延出端において、網材Ｓは、図１０の紙面の奥側へ直角に折り曲げられた状態とされる。
【００２５】
上側板状延出部１１４ｈの端部には、切り欠き１１４ｍが形成された壁部が存在している。図９、図１０に示すように、切り欠き１１４ｍには、網材Ｓの角部近傍の部分を構成する樹脂製の帯板材が挟まれるようにして配置されている。これにより、上側網材固定部材１１４に沿って配置された網材Ｓの縁部を構成する樹脂製の帯板材は、網材Ｓの角部近傍のガイド空間１１４ｎにおいて、長方形状突出壁１１４ｋに接近するように、ガイドされている。換言すれば、ガイド空間１１４ｎ及び切り欠き１１４ｍを形成する上側網材固定部材１１４の部分により構成されるガイド部は、網材Ｓを網材Ｓの角部から、網材Ｓの角部と角部との中間の縁部の部分に向って、屋外側へ案内する。
【００２６】
樹脂上枠１１２は、凹状部１１２ｄの屋外側の下端に設けられたパッキン１１２ｅをさらに有する。このパッキン１１２ｅが後述する樹脂上框２１２に当接することで、樹脂上枠１１２の屋外側には、空気室１１３ｂが形成される。
また、金属上枠１１１と樹脂上枠１１２との間には、複数の突出部１１２ｂによって仕切られる複数の空気室１１３ｃが形成される。
【００２７】
上框２１は、屋外側に配置されたアルミ等の金属からなる金属上框２１１と、その屋内側に設けられ且つ塩化ビニル樹脂等の樹脂からなる樹脂上框２１２と、を含んで構成される。
金属上框２１１は、屋外側から立設する立設部２１１ａを有し、その先端の屋内側が金属上枠１１１の屋外側に設けられたパッキン１１１ｄに当接する。
樹脂上框２１２は、複数の断面矩形状の空気室２１３ａを形成する格子状部２１２ａを有する。格子状部２１２ａは、屋内側において上述のパッキン１１２ｅに当接する。
【００２８】
また、上框２１は、下向きに開口して形成される溝２１ａを有する。溝２１ａは、ガスケット１０ａを介してガラス２００の上端部を挟持する。
【００２９】
下枠１２及び下框２２は、それぞれ上枠１１及び上框２１に類似した構成を有するため、対応する構成については同様の規則性を持って符号を付し、その説明を省略する。従って以下では、下枠１２及び下框２２の構成のうち、上枠１１及び上框２１と相違する構成についてのみ説明する。
【００３０】
樹脂下枠１２２は、樹脂上枠１１２と同様に、溝１２２ｃを形成する凹状部１２２ｄを有する。溝１２２ｃの右端部には、操作部５が挿入されて係合しており、操作部５が係合している溝１２２ｃの部分以外の部分には、網戸の網材Ｓを樹脂下枠１２２に固定する下側網材固定部材１２４が係合される。
【００３１】
下側網材固定部材１２４は、空気室１２４ａと、空気室１２４ａに対して見込方向へ隣接配置された空気室１２４ｂと、空気室１２４ａに対して上下方向へ隣接配置された空気室１２４ｃとを有する。下側網材固定部材１２４は、空気室１２４ｂよりも見込方向における屋外側にフック部１２４ｄを有している。フック部１２４ｄが溝１２２ｃを形成する樹脂下枠１２２の一部に係合することにより、下側網材固定部材１２４は、樹脂下枠１２２に固定される。下側網材固定部材１２４において、フック部１２４ｄよりも見込方向における屋外側には、網端部固定溝１２４ｆが形成されている。網端部固定溝１２４ｆには、網材Ｓの下縁部に取付して網材Ｓの下縁部に固定された樹脂製の帯板材が挿入されて固定されている。
【００３２】
下側網材固定部材１２４は、網材固定溝としての溝１２２ｃよりも見込方向における屋外側には、下側板状延出部１２４ｈを有している。下側板状延出部１２４ｈは、上側板状延出部１１４ｈと同様に、下側板状延出部１２４ｈの見付方向における一端部から他端部に至るまで設けられており、図３に示すように、フック部１２４ｄの位置から見込方向における屋外側へ延出している。見込方向において、下側板状延出部１２４ｈの延出端は、操作部５よりも屋外側に位置している。下側板状延出部１２４ｈの延出端は、図３に示すように、網戸の網材Ｓを支持しており、網戸の網材Ｓを、固定部材嵌合溝としての溝１２２ｃよりも見込方向における屋外寄りの位置である下側板状延出部１２４ｈの延出端の位置に配置させる。
【００３３】
下枠１２の屋内側における左右方向の一端側には、障子２を開閉するために操作者が操作する操作部５が設けられる。この操作部５は、後述する障子２の開閉機構４の一部を構成する。操作部５は、図５に示すように、溝１２２ｃの右端部に嵌め込まれて設けられている。操作部５の周囲には、溝１２２ｃに嵌め込まれている操作部５の左右両側面と見込方向における屋外側の側面に沿って、樹脂製の部分延出部５２１が設けられている。図７に示すように、部分延出部５２１は、平面視で略コの字形状を有しており、操作部５の見込方向における屋外側の側面に沿った中央部分５２１ａは、見込方向における屋外側（図７における上側）へ、上側板状延出部１１４ｈ、下側板状延出部１２４ｈと同じ長さで延出している。部分延出部５２１の中央部分５２１ａは、上側板状延出部１１４ｈ、下側板状延出部１２４ｈと同様に、網戸の網材Ｓを支持しており、網戸の網材Ｓを、固定部材嵌合溝としての溝１２２ｃよりも見込方向における屋外寄りの位置である部分延出部５２１の中央部分５２１ａの延出端の位置（図５における中央部分５２１ａの上側の端縁の位置）に配置させる。
【００３４】
部分延出部５２１の長手方向における一端部には、見付方向において部分延出部５２１の長手方向に突部５２１ｂが設けられており、突部５２１ｂは、下側網材固定部材１２４の端部に係合する。また、部分延出部５２１の長手方向における他端部には、見付方向において部分延出部５２１の長手方向に突部５２１ｃが設けられており、突部５２１ｃは、樹脂縦枠１４２に係合する。これにより、部分延出部５２１は、枠体１０に固定されている。部分延出部５２１の下面には、略コの字形状の部分延出部５２１の形状に倣った金属製の略コの字形状の板材により構成される補強部材５２３が、固定されている。略コの字形状の部分延出部５２１の部分であって、操作部５の見込方向における屋外側の側面に沿った中央部分５２１ａは、見込方向において細く構成されている。このため、樹脂製の部分延出部５２１は折れやすいが、略コの字形状の部分延出部５２１の形状に倣った金属製の略コの字形状の板材により構成される補強部材５２３が固定されているため、中央部分５２１ａが折れることを回避することができる。
【００３５】
図１、図３に示されるように、操作部５は、ハンドル式の操作部である。操作部５は、ハンドル５１と、図示しないボールねじ機構と、を含んで構成される。操作部５は、操作者がハンドル５１を回転させることで生じた回転方向の駆動力を、ボールねじ機構により直線方向の駆動力に変換する。変換された直線方向の駆動力は、後述する連動バー６に伝達される。
【００３６】
図４は、本実施形態に係る横辷り出し窓１の横断面図である。図４は、横辷り出し窓１を上側から見た横断面図である。図６は、上記実施形態に係る横辷り出し窓から網材保持部材を取外した様子を示す拡大縦断面図である。図７は、上記実施形態に係る横辷り出し窓の部分延出部を示す平面図である。図８は、上記実施形態に係る横辷り出し窓の網戸を施工している様子を示す拡大横断面図である。図９は、上記実施形態に係る横辷り出し窓の網戸がガイド部によってガイドされている様子を示す説明図である。図１０は、上記実施形態に係る横辷り出し窓の網戸がガイド部によってガイドされている様子を示す拡大図である。
縦枠１３と縦枠１４は同一の構成を有し、縦框２３と縦框２４は同一の構成を有する。このため、対応する構成については同様の規則性を持って符号を付し、その説明を省略する。
【００３７】
縦枠１３は、屋外側に配置されたアルミ等の金属からなる金属縦枠１３１と、その屋内側に配置され且つ塩化ビニル樹脂等の樹脂からなる樹脂縦枠１３２と、を含んで構成される。
【００３８】
樹脂縦枠１３２は、複数の断面矩形状の空気室１３３ａを形成する格子状部１３２ａと、格子状部１３２ａの外側に突出する複数の突出部１３２ｂと、格子状部１３２ａの内側（障子側）に位置して見付方向の他端側（図４の右側）へ向けて開口する溝１３２ｃを形成する凹状部１３２ｄと、を有する。本実施形態では、網戸の網材Ｓを枠体１０に固定する網材固定部材１３４が溝１３２ｃに係合されている。
【００３９】
網材固定部材１３４は、中間部材１３５と、網材保持部材１３６と、を有している。中間部材１３５は、枠体１０を構成する縦枠１３に固定される。網材保持部材１３６は、中間部材１３５に固定されて網材Ｓを枠体１０に固定する。
より具体的には、中間部材１３５は、押出成形等の金型を用いずに成形可能な成形方法により成形された樹脂部品であり、中間部材１３５の長手方向における長さは、図６に示すように、溝１３２ｃの長手方向である上下方向の長さよりも短く、中間部材１３５は、枠体１０の樹脂縦枠１３２の延出方向である上下方向における樹脂縦枠１３２の一部に配置されている。中間部材１３５は、樹脂縦枠１３２の溝１３２ｃに１つ設けられている。
【００４０】
中間部材１３５は、図４に示すように、見付方向における端部側（図４における中間部材１３５の左端部）にフック部１３５ａを有している。フック部１３５ａが樹脂縦枠１３２の一部に係合することにより、中間部材１３５は、樹脂縦枠１３２に固定されている。また、中間部材１３５には、見付方向における中央寄り側（図４における中間部材１３５の右端部）であって、見込方向における中央位置に、係合凹部１３５ｃが形成されている。係合凹部１３５ｃは、見付方向における一端部側（図４における中間部材１３５の左側）に向かって窪んで形成されている。中間部材１３５は、係合凹部１３５ｃの底部に形成された図示しない貫通孔に螺合する図示しないネジによって、溝１３２ｃ内において縦枠１３に固定されている。
なお、図６には、中間部材１３５の図示しない貫通孔に相当する中間部材１４５の貫通孔１４５ｉが現われている。同様に、図６には、中間部材１３５を縦枠１３に固定する図示しないネジに相当するネジ１４５ｆが現われている。
【００４１】
網材保持部材１３６は、空気室１３６ａと、空気室１３６ａに対して見込方向へ隣接配置された空気室１３６ｂとを有する。また、網材保持部材１３６は、空気室１３６ａよりも見付方向における一端部側（図４の左側）に、フック部１３６ｄ、フック部１３６ｅを有している。フック部１３６ｄが、係合凹部１３５ｃを形成している中間部材１３５の一部に係合することにより、網材保持部材１３６は、中間部材１３５に固定される。また、フック部１３６ｅが溝１３２ｃを形成する樹脂縦枠１３２の一部に係合することにより、網材保持部材１３６は、樹脂縦枠１３２に固定される。
【００４２】
空気室１３６ｂを形成している網材保持部材１３６の壁部であって見付方向に平行な壁部１３６ｇと、後述のパッキン１３２ｇを支持する支持壁部１３２ｋとの間には、網材Ｓの側縁部が挟み込まれるようにして、固定されている。網材Ｓの側縁部にも、網材Ｓの上縁部や下縁部と同様に、樹脂製の帯板材が取付されているが、帯板材は、溝１３２ｃ内に配置されている。
【００４３】
網材保持部材１３６は、空気室１３６ｂよりも見込方向における屋外側に、側部板状延出部１３６ｈを有している。側部板状延出部１３６ｈは、上下方向における側部板状延出部１３６ｈの一端部から他端部に至るまで設けられており、図４に示すように、空気室１３６ｂの位置から見込方向における屋外側へ延出している。見込方向において、上側板状延出部１１４ｈの延出端は、操作部５よりも屋外側に位置しており、見込方向における、上側板状延出部１１４ｈ、下側板状延出部１２４ｈ、部分延出部５２１の中央部分５２１ａの延出長さと同一の延出長さを有している。側部板状延出部１３６ｈの延出端は、図４に示すように、網戸の網材Ｓを支持しており、網材Ｓを、固定部材嵌合溝としての溝１３２ｃよりも見込方向における屋外寄りの位置である上側板状延出部１１４ｈの延出端の位置に配置させる。見付方向における一端側（図４における左側）の網材保持部材１３６の右側面１３６ｊは、見付方向における他端側（図４における右側）の網材固定部材の網材保持部材１４６の左側面１４６ｊ、上側網材固定部材１１４の下面１１４ｊ、及び、下側網材固定部材１２４の上面１２４ｊと共に、枠体１０により囲まれる、建物の開口部の内周面を構成する。
【００４４】
樹脂縦枠１３２は、凹状部１３２ｄの屋外側に設けられたパッキン１３２ｆと、凹状部１３２ｄの内側（障子側）の先端に配置されるパッキン１３２ｇをさらに有する。これにより、縦枠１３と縦框２３との間に空気室１３３ｂが形成される。
また、金属縦枠１３１と樹脂縦枠１３２との間には、複数の突出部１３２ｂによって仕切られる複数の空気室１３３ｃが形成される。
【００４５】
縦框２３は、屋外側に配置されたアルミ等の金属からなる金属縦框２３１と、その屋内側に配置され且つ塩化ビニル樹脂等の合成樹脂からなる樹脂縦框２３２と、を含んで構成される。
金属縦框２３１は、屋外側から内側（障子側）に延出する横設部２３１ａを有する。金属縦框２３１は、横設部２３１ａの先端に配置され且つ金属縦枠１３１に当接するパッキン２３１ｂを有する。
樹脂縦框２３２には、断面矩形状の空気室２３３ａが形成される。空気室２３３ａの屋内側部分には、上述のパッキン１３２ｆ，１３２ｇが当接する。
【００４６】
縦框２３は、内側（障子側）に開口して形成される溝２３ａを有する。溝２３ａは、ガスケット１０ａを介してガラス２００の側端部を挟持する。
【００４７】
縦枠１３と縦框２３の間には、両者を連結するリンク機構３が設けられる。図４に示すように、リンク機構３は、ステー３１と、一対のアーム３２，３３と、を含んで構成される。
【００４８】
ステー３１は、上下方向に延びて設けられ、縦枠１３を構成する金属縦枠１３１の内側（障子側）の見込み面に設けられた取り付け部１３１ａに取り付け固定される。
一対のアーム３２，３３は、それぞれ、一端がステー３１に回動可能に支持され、他端が縦框２３に回動可能に支持される。一対のアーム３２，３３は、ステー３１の長さに対応して、上下方向に離隔して配置されている。
このリンク機構３により、後述する開閉機構４が駆動すると、一対のアーム３２，３３が連動して縦枠１３及び縦框２３のそれぞれに対して回動することで、障子２がスムーズ且つ確実に開閉するようになっている。
【００４９】
以上説明したように、本実施形態の横辷り出し窓１では、枠体１０、障子２及びこれらの間に複数の空気室が形成されている。即ち、本実施形態の横辷り出し窓１は、複数の空気室が形成された多層ホロー構造を有し、これにより、断熱性が高められている。
【００５０】
次に、本実施形態の横辷り出し窓１の障子２を開閉する開閉機構４について簡単に説明する。
図５は、本実施形態に係る横辷り出し窓１の部分断面平面図である。図５に示すように、本実施形態の横辷り出し窓１は、障子２を開閉する開閉機構４を備える。
この開閉機構４は、上述の操作部５と、連動バー６と、開閉アーム機構７と、を含んで構成される。
【００５１】
操作部５の構成については、上述した通りである。なお本実施形態では、操作者がハンドル５１を時計回りに回転させると、その回転方向の駆動力が左右方向の他端側（左側）へ向かう駆動力に変換される。また、操作者がハンドル５１を反時計回りに回転させると、その回転方向の駆動力が左右方向の一端側（右側）へ向かう駆動力に変換される。
【００５２】
連動バー６は、下枠１２の屋内側の上面に、左右方向に延設される。より詳しくは、連動バー６は、下枠１２の上面に沿って左右方向に延設されたレール６１に係合するように設置される。また、連動バー６の基端側（右側）は、上述の操作部５のボールねじ機構に連結される。これにより、連動バー６は、操作部５から伝達される左右方向の駆動力によって、下枠１２に沿って左右方向にスライド移動可能となっている。
【００５３】
本実施形態では、開閉アーム機構７は、図５に示されるように下枠１２及び下框２２の左右方向の略中央部に設けられている。この開閉アーム機構７は、開閉アーム７０を備える。開閉アーム７０の基端側（図５の右側）は、連動バー６に回動可能に支持される。また、開閉アーム７０は、その先端側（図５の左側）は、係合部７０６に形成された連動バー６に並行して左右方向に延びる係合溝部７０５に係合する突部７０３によって案内されて、連動バー６の移動に連動して左右方向にスライド移動可能であるとともに、下框２２に対して回動可能となっている。
【００５４】
以上の構成により、操作者がハンドル５１を時計回りに回転させると、連動バー６の移動に連動して、開閉アーム７０が左方向にスライド移動した後に回動して、障子２が開放状態とされる。また、操作者がハンドル５１を反時計回りに回転させると、連動バー６の移動に連動して、開閉アーム７０が回動して全閉状態とされた後に、連動バー６とともに、右方向へスライド移動するように構成されている。
【００５５】
以下、本実施形態の横辷り出し窓１に網戸を施工する際の手順について説明する。
先ず、網材Ｓに固定された上側網材固定部材１１４（図３等参照）を、樹脂上枠１１２の溝１１２ｃに嵌め込んで、網材Ｓを樹脂上枠１１２に固定すると共に、網材Ｓに固定された下側網材固定部材１２４を、樹脂下枠１２２の溝１２２ｃに嵌め込んで、網材Ｓを樹脂下枠１２２に固定する。これにより、網材Ｓの上縁部、下縁部は、それぞれ樹脂上枠１１２、樹脂下枠１２２に固定される。
【００５６】
次に、見付方向における網材Ｓの左側の縁部（図８における左側の縁部）に取付されている帯板材Ｓ１１を、予め縦枠１３の樹脂縦枠１３２の溝１３２ｃに配置され樹脂縦枠１３２に固定された中間部材１３５と、溝１３２ｃを形成している縦枠１３の樹脂縦枠１３２の部分と、の間に挟み込むとともに、見付方向における網材Ｓの右側の縁部（図４における右側の縁部）に取付されている帯板材を、予め縦枠１４の樹脂縦枠１４２の溝１４２ｃに配置され樹脂縦枠１４２に固定された中間部材１４５と、溝１４２ｃを形成している縦枠１４の樹脂縦枠１４２の部分と、の間に挟み込む。このように取付を行うことで、網材Ｓの左側の縁部に取付されている帯板材Ｓ１１は、中間部材１３５と樹脂縦枠１３２との間から抜けられない状態となり、同様に、網材Ｓの右側の縁部に取付されている帯板材Ｓ１１は、中間部材１４５と樹脂縦枠１４２との間から抜けられない状態となり、中間部材１３５の保持部１３５ｅと枠体１０の樹脂縦枠１３２との間で、また、中間部材１４５の保持部１４５ｅと枠体１０の樹脂縦枠１４２との間で、網材Ｓの一部である帯板材Ｓ１１が、一時的に保持される。
【００５７】
次に、溝１３２ｃ、溝１４２ｃにそれぞれ嵌め込まれた中間部材１３５、中間部材１４５へ網材保持部材１３６、網材保持部材１４６をそれぞれ押しつける。そして、網材保持部材１３６のフック部１３６ｄを、中間部材１３５の係合凹部１３５ｃに係合させると共に、樹脂縦枠１３２の一部に係合させて、網材保持部材１３６を中間部材１３５及び樹脂縦枠１３２に固定させる。同様に、網材保持部材１４６のフック部１４６ｄを、中間部材１４５の係合凹部１４５ｃに係合させると共に、樹脂縦枠１４２の一部に係合させて、網材保持部材１４６を中間部材１４５及び樹脂縦枠１４２に固定させる。
【００５８】
このとき、図４等に示すように、網材Ｓの左側の縁部が壁部１３６ｇと、支持壁部１３２ｋとの間に挟まれて、網材Ｓの左側の縁部は樹脂縦枠１３２に固定され、また、網材Ｓの右側の縁部が壁部１４６ｇと、支持壁部１４２ｋとの間に挟まれて、網材Ｓの右側の縁部は樹脂縦枠１４２に固定される。以上の手順を経て、網戸は横辷り出し窓１に施工される。
【００５９】
本実施形態によれば、以下の効果が奏される。
本実施形態では、建物の開口部に設けられる建具としての横辷り出し窓１は、上枠１１、下枠１２及び左右の縦枠１３、１４を有する枠体１０と、枠体１０に開閉可能に設けられ、上框２１、下框２２及び左右の縦框２３、２４を有する障子２と、枠体１０に設けられ、網材Ｓを有する網戸と、網材Ｓを枠体１０に固定する網材固定部材（上側網材固定部材１１４、下側網材固定部材１２４、網材固定部材１３４、網材固定部材１４４）と、を備える。枠体１０は、網材固定部材が嵌合する固定部材嵌合溝（溝１１２ｃ、溝１２２ｃ、溝１３２ｃ、溝１４２ｃ）を有する。網材Ｓは、固定部材嵌合溝よりも見込方向における屋外寄りの位置に配置されている。
【００６０】
これにより、操作部５に対して網材Ｓの位置を見込方向における屋外寄りの位置に配置することが可能となり、見込方向において操作部５の位置と網材Ｓの位置とを異なる位置関係とすることができる。このため、従来のように、網戸の一部に連通口を形成する必要がなくなり、連通口の周りの網戸枠も不要となり、窓を通した眺望を良好とすることができる。また、高い防虫性を維持することができる。
また、網戸の一部に連通口を形成する必要がないため、網材Ｓの一部に対する切り抜き加工が不要となり、網戸の施工を容易とすることができる。
【００６１】
また本実施形態では、網材固定部材は、固定部材嵌合溝（溝１１２ｃ、溝１２２ｃ、溝１３２ｃ、溝１４２ｃ）に対して屋外側へ向かって延出して網材Ｓを固定部材嵌合溝よりも見込方向における屋外寄りの位置に支持する支持部としての上側板状延出部１１４ｈ、下側板状延出部１２４ｈ、側部板状延出部１３６ｈ、側部板状延出部１４６ｈを有する。
【００６２】
これにより、網材Ｓを固定部材嵌合溝（溝１１２ｃ、溝１２２ｃ、溝１３２ｃ、溝１４２ｃ）よりも見込方向における屋外寄りの位置に配置する構成を、容易に実現することができる。
【００６３】
また本実施形態では、網材固定部材の一端部及び他端部には、網材Ｓを屋外側へ案内するガイド部（ガイド空間１１４ｎ、１２４ｎ、切り欠き１１４ｍ、１２４ｍ）が形成されている。
【００６４】
これにより、網材固定部材の一端部及び他端部によって、網材Ｓを屋外側へ案内した状態とすることができ、この状態で、網材固定部材（上側網材固定部材１１４、下側網材固定部材１２４）で網材Ｓを支持した状態とすることができる。
【００６５】
また本実施形態では、障子２の上框２１、下框２２、左右の縦框２３、２４の屋内側の部分（樹脂上框２１２、樹脂下框２２２、樹脂縦框２３２、樹脂縦框２４２）は樹脂により構成されている。このため、見込方向における寸法が大きくなり、見込方向において網戸を配置させるスペースを確保することができなくなる場合であっても、網材Ｓは、固定部材嵌合溝（溝１１２ｃ、溝１２２ｃ、溝１３２ｃ、溝１４２ｃ）よりも見込方向における屋外寄りの位置に配置させられているため、網戸を有する横辷り出し窓１を構成することができる。
【００６６】
また本実施形態では、網材固定部材の外面としての網材保持部材１３６の右側面１３６ｊ、網材保持部材１４６の左側面１４６ｊ、上側網材固定部材１１４の下面１１４ｊ、及び、下側網材固定部材１２４の上面１２４ｊは、枠体１０により囲まれる、建物の壁に形成された開口部の内周面を構成する。これにより、枠体１０により形成される開口を形成している内周面を別途設けずに済み、また、枠体１０よりも、枠体１０により形成される開口の内方へ網材固定部材が突出することを回避できる。この結果、いわゆるフレームレスと呼ばれる建具としての横辷り出し窓１における意匠性を高めることができる。
【００６７】
また本実施形態では、建具としての横辷り出し窓１は、上枠１１、下枠１２及び左右の縦枠１３、１４を有する枠体１０と、枠体１０に設けられ、網材Ｓを有する網戸と、網材Ｓを枠体１０に固定する網材固定部材１３４、１４４と、を備える。網材固定部材１３４、１４４は、枠体１０に固定される中間部材１３５、１４５と、中間部材１３５、１４５に固定されて網材Ｓを枠体１０に固定する網材保持部材１３６、１４６と、を有する。
【００６８】
これにより、枠体１０の形状が変更された場合であっても、高い寸法精度が要求されず比較的安価であり、押出成形等の、金型を用いずに成形可能な成形方法により成形された樹脂部品である中間部材１３５、１４５の形状を適宜変更することにより、従来用いられていた網材保持部材１３６、１４６をそのまま用いて網材Ｓを枠体１０に固定することができる。このため、枠体１０の形状が変更されても、網戸の施工に係るコストが高くなることを抑えることができる。また、中間部材１３５、１４５を樹脂部品で構成することにより、断熱性を確保することも可能である。
【００６９】
また本実施形態では、中間部材１３５、１４５は、網材Ｓの一部を一時的に保持可能な保持部１３５ｅ、１４５ｅを有する。そして、保持部１３５ｅ、１４５ｅは、枠体１０との間で網材Ｓの一部を保持可能である。これにより、網材保持部材１３６、１４６を用いた網材Ｓの枠体１０への固定作業を安定して容易に行うことができる。
【００７０】
また本実施形態では、中間部材１３５、１４５は、枠体１０の延出方向における枠体１０の一部に配置されている。これにより、枠体１０の延出方向における枠体１０の全部に中間部材が配置されている場合と比較して、網材Ｓの一部を一時的に保持する作業を、容易に行なうことができ、また、中間部材１３５、１４５に対して網材保持部材１３６、１４６を固定する作業を、容易に行なうことができる。
【００７１】
なお、本発明は上記実施形態に限定されるものではなく、本発明の目的を達成できる範囲での変形、改良等は本発明に含まれる。
【００７２】
上記実施形態では、本発明を横辷り出し窓に適用したが、これに限定されない。例えば、本発明を縦辷り出し窓に適用してもよく、縦開き窓や横開き窓に適用してもよい。
【００７３】
上記実施形態では、開閉アームを左右方向の略中央に１つ設けたが、これに限定されない。例えば、開閉アームを２つ設けてもよい。
【００７４】
上記実施形態では、操作部を左右方向の右側に設けたが、これに限定されない。例えば、操作部を左側に設けてもよい。また、操作部を下枠ではなく、縦枠に設けてもよい。
【００７５】
上記実施形態では、操作部をハンドル式の操作部としたが、これに限定されない。例えば建具が高所に配置される場合には、ハンドル５１を取り外してチェーン式の操作部（滑車）を取り付けてもよい。この場合には、下枠の左右方向の一端側に設けられた操作部に、下方に垂下するチェーンが滑車を介して連結される。操作者は、かかるチェーンを下方に引くことで操作部を駆動させ、障子の開閉及びロックが可能となる。
【００７６】
上記実施形態では、操作部を手動式としたが、これに限定されない。例えば、ハンドル５１を取り外して、操作部に電動ユニットを取り付け、電動式としてもよい。
【００７７】
上記実施形態では、中間部材１３５と網材保持部材１３６とにより構成される網材固定部材１３４を縦枠１３に嵌める構成としていたが、この構成に限定されない。例えば、下枠、上枠に、中間部材と網材保持部材とにより構成される網材固定部材を嵌める構成としてもよい。また、中間部材１３５は、長手方向における長さが溝１３２ｃ及び網材保持部材１３６よりも短く、中間部材１３５は、枠体１０の樹脂縦枠１３２の延出方向である上下方向における樹脂縦枠１３２の一部に配置されていた。そして、縦枠１３にそれぞれ１つずつ設けられたが、この構成に限定されない。例えば、中間部材は、上枠１１や下枠１２や縦枠１３、１４のうちの一の枠体において複数設けられてもよいし、溝１３２ｃの全体に渡って嵌め込まれるような長手方向の長さを有していてもよい。
【００７８】
上記実施形態では、溝１３２ｃにそれぞれ嵌め込まれた中間部材１３５へ網材保持部材１３６をそれぞれ押しつけ、網材保持部材１３６のフック部を、中間部材１３５の係合凹部１３５ｃに係合させると共に、樹脂縦枠１３２の一部に係合させて、網材保持部材１３６を中間部材１３５及び樹脂縦枠１３２に固定させたが、この構成に限定されない。例えば、網材保持部材を中間部材のみに係止させて固定する構成を有していてもよい。
【符号の説明】
【００７９】
１…横辷り出し窓（建具）
２…障子
５…操作部
１０…枠体
１１…上枠
１２…下枠
１３、１４…縦枠
２１…上框
２２…下框
２３，２４…縦框
１１２ｃ、１２２ｃ、１３２ｃ、１４２ｃ…溝（固定部材嵌合溝）
１１４…上側網材固定部材（網材固定部材）
１１４ｈ…上側板状延出部（支持部）
１２４…下側網材固定部材（網材固定部材）
１２４ｈ…下側板状延出部（支持部）
１３４、１４４…網材固定部材
１３５、１４５…中間部材
１３６、１４６…網材保持部材
１３６ｈ、１４６ｈ…側部板状延出部（支持部）
【図１】
0006704250.tif 000002
【図２】
0006704250.tif 000003
【図３】
0006704250.tif 000004
【図４】
0006704250.tif 000005
【図５】
0006704250.tif 000006
【図６】
0006704250.tif 000007
【図７】
0006704250.tif 000008
【図８】
0006704250.tif 000009
【図９】
0006704250.tif 000010
【図１０】
0006704250.tif 000011